(57)【特許請求の範囲】
【請求項１】
コンピューターに、
妊娠週数を入力するための画面を表示させる週数入力表示処理と、
前記妊娠週数の入力を受け付ける週数受付処理と、
予め記憶された複数の心音のうち、受け付けた前記妊娠週数に対応した心音を選択する心音選択処理と、
選択された前記心音と、音楽とが合成された合成音楽を出力させる合成音楽出力処理と、を実行させるプログラム。
【請求項２】
請求項１に記載のプログラムであって、
前記音楽は、予め記憶された複数の音楽から選択された音楽であることを特徴とするプログラム。
【請求項３】
請求項２に記載のプログラムであって、
前記コンピューターに、
妊婦の状態を選択するための画面を表示させる状態選択表示処理と、
前記妊婦の状態の選択を受け付ける状態受付処理と、を実行させ、
前記音楽は、受け付けた前記妊婦の状態に対応して選択された音楽であることを特徴とするプログラム。
【請求項４】
請求項１から３のいずれか１項に記載のプログラムであって、
前記コンピューターに、
予め記憶された複数のメッセージのうち、前記妊娠週数に対応したメッセージを選択するメッセージ選択処理と、
前記合成音楽出力処理の実行中に、選択された前記メッセージを画面に表示させるメッセージ表示処理と、を実行させることを特徴とするプログラム。
【請求項５】
請求項４に記載のプログラムであって、
前記メッセージは、妊娠週数や妊婦の状態に対応したアドバイスや、妊婦を応援する言葉であることを特徴とするプログラム。
【請求項６】
請求項４又は５に記載のプログラムであって、
前記メッセージ選択処理は、妊婦の状態にも対応して前記メッセージを選択することを特徴とするプログラム。
【請求項７】
請求項１から６のいずれか１項に記載のプログラムであって、
前記合成音楽出力処理の実行中に、画面にハートマークを含む図柄を表示させる図柄表示処理を実行させ、
前記図柄の形状を、前記心音に対応して変化させることを特徴とするプログラム。
【請求項８】
請求項７に記載のプログラムであって、
前記妊娠週数に応じて、前記ハートマークの大きさを変化させることを特徴とするプログラム。
【請求項９】
請求項１から８のいずれか１項に記載のプログラムであって、
前記コンピューターに、
前記妊娠週数に応じた情報を含む電子メールを受信する情報受信処理と、
受信した前記電子メールに含まれる情報を画面に表示させる情報表示処理と、を実行させることを特徴とするプログラム。
【請求項１０】
請求項９に記載のプログラムであって、
前記電子メールの発信者名の少なくとも一部に、乳幼児が使用する吸収性物品に関連するブランド名が含まれることを特徴とするプログラム。
【請求項１１】
妊娠週数を入力するための画面をコンピューターに表示させる週数入力表示ステップと、
前記妊娠週数の入力を受け付ける週数受付ステップと、
予め記憶された複数の心音のうち、受け付けた前記妊娠週数に対応した心音を選択する心音選択ステップと、
選択された前記心音と、音楽とが合成された合成音楽を出力させる合成音楽出力ステップと、を備えた妊婦支援方法。
【請求項１２】
妊婦支援システムであって、
妊娠週数を入力するための画面をコンピューターに表示させる週数入力表示処理部と、
前記妊娠週数の入力を受け付ける週数受付処理部と、
予め記憶された複数の心音のうち、受け付けた前記妊娠週数に対応した心音を選択する心音選択処理部と、
選択された前記心音と、音楽とが合成された合成音楽を出力させる合成音楽出力処理部と、を有することを特徴とする妊婦支援システム。
【発明の詳細な説明】
【技術分野】
【０００１】
本発明は、妊婦支援のために用いられるプログラム、妊婦支援方法、及び妊婦支援システムに関する。
【背景技術】
【０００２】
妊娠中の母親（妊婦）は、出産に対して期待だけでなく不安も抱えている。妊婦の不安は、お腹の中の赤ちゃん（胎児）の存在を実感することで和らぐことがあり、特許文献１には、胎児の心音を聞き取ることで胎児と両親とコミュニケーションをもつ方法が開示されている。
【先行技術文献】
【特許文献】
【０００３】
【特許文献１】特開平９−２２４９３２号
【発明の概要】
【発明が解決しようとする課題】
【０００４】
しかしながら、妊婦が胎児の心音を聞いても、妊婦自身の心拍との違いを判断することができず、胎児の存在を十分に実感できない場合があり、妊婦の不安を解消できないという問題を生じていた。
【０００５】
本発明は、上記のような従来の問題に鑑みてなされたものであって、その目的は、妊婦が胎児の存在を実感できるように、妊婦を支援するためのプログラム、妊婦支援方法、及び妊婦支援システムを提供することにある。
【課題を解決するための手段】
【０００６】
上記目的を達成するための主たる発明は、
コンピューターに、妊娠週数を入力するための画面を表示させる週数入力表示処理と、前記妊娠週数の入力を受け付ける週数受付処理と、予め記憶された複数の心音のうち、受け付けた前記妊娠週数に対応した心音を選択する心音選択処理と、選択された前記心音と、音楽とが合成された合成音楽を出力させる合成音楽出力処理と、を実行させるプログラムである。
本発明の他の特徴については、本明細書及び添付図面の記載により明らかにする。
【発明の効果】
【０００７】
本発明によれば、胎児の心音を聞いただけでは胎児の存在を実感しにくい場合でも、心音と音楽を合成させた合成音楽を聴くことで、より胎児の存在を実感しやすくなり、妊婦の不安を軽減させることができる。
【図面の簡単な説明】
【０００８】
【図１】端末１の機能上の構成を示すブロック図である。
【図２】図２Ａは、状態・音楽ＤＢ１３２に格納された妊婦の状態に対応する音楽データである。図２Ｂは、メッセージＤＢ１３３に格納されたメッセージデータである。
【図３】図３は、本実施形態の妊婦支援方法の流れを説明する図である。
【図４】図４は、週数選択画面２０を説明する図である。
【図５】図５は、状態選択画面３０を説明する図である。
【図６】図６は、合成音楽出力画面４０を説明する図である。
【図７】図７は、メッセージ表示画面５０を説明する図である。
【図８】図８は、図柄４２の変化を説明する図である。
【図９】図９は、その他の実施形態の端末１の機能上の構成を示すブロック図である。
【発明を実施するための形態】
【０００９】
本明細書及び添付図面の記載により、少なくとも以下の事項が明らかとなる。  
コンピューターに、妊娠週数を入力するための画面を表示させる週数入力表示処理と、前記妊娠週数の入力を受け付ける週数受付処理と、予め記憶された複数の心音のうち、受け付けた前記妊娠週数に対応した心音を選択する心音選択処理と、選択された前記心音と、音楽とが合成された合成音楽を出力させる合成音楽出力処理と、を実行させるプログラムである。
【００１０】
このようなプログラムによれば、胎児の心音を聞いただけでは胎児の存在を実感しにくい場合でも、心音と音楽を合成させた合成音楽を聴くことで、より胎児の存在を実感しやすくなり、妊婦の不安を軽減させることができる。
【００１１】
かかるプログラムであって、前記音楽は、予め記憶された複数の音楽から選択された音楽であることが望ましい。
【００１２】
このようなプログラムによれば、複数の音楽から選択した音楽を用いることで、妊婦が胎児の存在をより実感することができる合成音楽を出力することができる。
【００１３】
かかるプログラムであって、前記コンピューターに、妊婦の状態を選択するための画面を表示させる状態選択表示処理と、前記妊婦の状態の選択を受け付ける状態受付処理と、を実行させ、前記音楽は、受け付けた前記妊婦の状態に対応して選択された音楽であることが望ましい。
【００１４】
このようなプログラムによれば、妊婦の状態に応じて選択された音楽と心音から成る合成音楽によって、妊婦が胎児をより実感させることができる。
【００１５】
かかるプログラムであって、前記コンピューターに、予め記憶された複数のメッセージのうち、前記妊娠週数に対応したメッセージを選択するメッセージ選択処理と、前記合成音楽出力処理の実行中に、選択された前記メッセージを画面に表示させるメッセージ表示処理と、を実行させることが望ましい。
【００１６】
このようなプログラムによれば、合成音楽により胎児の存在を実感しているときに、妊娠週数に応じたアドバイスやエール（応援）などのメッセージを受け取ることで、妊婦の妊娠に対する不安を和らげることができる。
【００１７】
かかるプログラムであって、前記メッセージは、胎児から妊婦に向けたメッセージであることが望ましい。
【００１８】
このようなプログラムによれば、合成音楽により胎児の存在を実感しているときに、妊婦が胎児から妊婦に向けたメッセージを受け取ることで、胎児の存在を強く実感することができる。
【００１９】
かかるプログラムであって、前記メッセージ選択処理は、妊婦の状態にも対応して前記メッセージを選択することが望ましい。
【００２０】
このようなプログラムによれば、妊婦は、妊婦の状態にも対応したメッセージを受け取ることができるため、妊婦の妊娠に対する不安を一層和らげることができる。
【００２１】
かかるプログラムであって、前記合成音楽出力処理の実行中に、画面にハートマークを含む図柄を表示させる図柄表示処理を実行させ、前記図柄の形状を、前記心音に対応して変化させることが望ましい。
【００２２】
このようなプログラムによれば、心音に応じて図柄を変化させることで、胎児の心音を視覚的にも実感することができる。
【００２３】
かかるプログラムであって、前記妊娠週数に応じて、前記ハートマークの大きさを変化させることが望ましい。
【００２４】
このようなプログラムによれば、妊娠週数に応じてハートマークの大きさを変化させることで、妊娠週数に応じて胎児の心臓が大きくなっていることを連想させることができ、視覚的に妊婦に胎児の成長を実感させることができる。
【００２５】
かかるプログラムであって、前記コンピューターに、前記妊娠週数に応じた情報を含む電子メールを受信する情報受信処理と、受信した前記電子メールに含まれる情報を画面に表示させる情報表示処理と、を実行させることが望ましい。
【００２６】
このようなプログラムによれば、妊娠週数に応じた情報を画面に表示させることで、妊婦は妊娠週数に応じた情報を知ることができ、妊娠に対する不安を和らげることができる。
【００２７】
かかるプログラムであって、前記電子メールの発信者名の少なくとも一部に、乳幼児が使用する吸収性物品に関連するブランド名が含まれることが望ましい。
【００２８】
このようなプログラムによれば、妊婦が妊娠週数に応じた情報を見ると、乳幼児用の吸収性物品に関連するブランド名を認識することができるため、出産後にこの吸収性物品を使用してもらうきっかけにすることができる。
【００２９】
妊娠週数を入力するための画面をコンピューターに表示させる週数入力表示ステップと、前記妊娠週数の入力を受け付ける週数受付ステップと、予め記憶された複数の心音のうち、受け付けた前記妊娠週数に対応した心音を選択する心音選択ステップと、選択された前記心音と、音楽とが合成された合成音楽を出力させる合成音楽出力ステップと、を備えた妊婦支援方法である。
【００３０】
このような妊婦支援方法によれば、胎児の心音を聞いただけでは胎児の存在を実感しにくい場合でも、心音と音楽を合成させた合成音楽を聴くことで、より胎児の存在を実感しやすくなり、妊婦の不安を軽減させることができる。
【００３１】
妊婦支援システムであって、妊娠週数を入力するための画面をコンピューターに表示させる週数入力表示処理部と、前記妊娠週数の入力を受け付ける週数受付処理部と、予め記憶された複数の心音のうち、受け付けた前記妊娠週数に対応した心音を選択する心音選択処理部と、選択された前記心音と、音が億とが合成された合成音楽を出力させる合成音楽出力処理部と、を有することを特徴とする妊婦支援システムである。
【００３２】
このようなシステムによれば、胎児の心音を聞いただけでは胎児の存在を実感しにくい場合でも、心音と音楽を合成させた合成音楽を聴くことで、より胎児の存在を実感しやすくなり、妊婦の不安を軽減させることができる。
【００３３】
＝＝＝本実施形態＝＝＝
＜端末１＞
端末１は、各種の処理を行い、その結果を画面１ａ（表示画面１５）に表示させる。端末１は、例えばスマートフォンやタブレット端末である。端末１は、ダウンロードしたプログラムを実行することで、妊婦支援に関する各種処理（後述）を実行する。
【００３４】
図１は、端末１の機能上の構成を示すブロック図である。本実施形態の端末１は、制御部１１、記憶部１２、入力部１３、表示部１４、通信部３５、及びスピーカー３６を有している。
【００３５】
制御部１１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。
【００３６】
制御部１１は、週数入力表示処理部１１１、週数受付処理部１１２、状態選択表示処理部１１３、状態受付処理部１１４、心音選択処理部１１５、音楽選択処理部１１６、合成音楽出力処理部１１７、メッセージ選択処理部１１８、メッセージ表示処理部１１９、図柄表示処理部１２０、情報受信処理部１２１、情報表示処理部１２２を有している。
【００３７】
週数入力表示処理部１１１は、妊娠週数を入力するための画面を表示させる処理を行い、週数受付処理部１１２は、妊娠週数の入力を受け付ける処理を行う。状態選択表示処理部１１３は、妊婦の状態を選択するための画面を表示させる処理を行い、状態受付処理部１１４は、妊婦の状態の選択を受け付ける処理を行う。心音選択処理部１１５は、妊娠週数に対応した心音を選択する処理を行う。音楽選択処理部１１６は、妊婦の状態に対応して音楽を選択する処理を行う。合成音楽出力処理部１１７は、選択された心音と選択された音楽とを合成した合成音楽を出力させる処理を行う。メッセージ選択処理部１１８は、妊娠週数に対応したメッセージを選択する処理を行い、メッセージ表示処理部１１９は、選択されたメッセージを画面に表示させる処理を行う。図柄表示処理部１２０は、図柄を表示させる処理を行う。情報受信処理部１２１は、妊娠週数に応じた情報を含む電子メールを受信する処理を行い、情報表示処理部１２２は、電子メールに含まれる情報を画面に表示する処理を行う。
【００３８】
記憶部１３は、心音ＤＢ１３１、状態・音楽ＤＢ１３２、メッセージＤＢ１３３、図柄ＤＢ１３４を有している。
【００３９】
心音ＤＢ１３１には、胎児の心音が保存された音データが格納されている。状態・音楽ＤＢ１３２には、図２Ａに示すように、妊婦の状態と、妊婦の状態に対応する音楽データが格納されている。図２Ａは、状態・音楽ＤＢ１３２に格納された妊婦の状態に対応する音楽データである。メッセージＤＢ１３３には、図２Ｂに示すように、胎児から妊婦に向けたメッセージデータが格納されている。図２Ｂは、メッセージＤＢ１３３に格納されたメッセージデータである。図柄ＤＢ１３４には、ハートマークを含む図柄４２が格納されている。
【００４０】
入力部１４は、端末１を操作する使用者である妊婦（以下、単に「妊婦」という。）が入力するものであり、タッチパネルのタップ操作により実現される。
表示画面１５は、制御部３１からの指令に基づいて各種の情報を表示する画面である。
通信部１６は、電子メールを受信する受信部としての機能を有している。
スピーカー１７は、合成音楽を出力する。
【００４１】
＜妊婦支援方法＞
以下、妊婦支援方法の流れを説明する。図３は、本実施形態の妊婦支援方法の流れを説明する図である。図４は、週数選択画面２０を説明する図である。
【００４２】
まず、端末１のプログラムを起動させると（Ｓ１：プログラム起動ステップ）、図４に示すように、週数入力表示処理部１１１は、画面１ａに、週数選択画面２０を表示させる（Ｓ２：週数入力画面表示ステップ）。週数選択画面２０には、週数選択部２１、週数選択決定部２２が示される。週数選択部２１には、中央に数字が示された略矩形の枠が設けられており、画面１ａの中央部に設けられている。妊娠週数の入力は、上下に設けた三角形のアイコンをタップして枠内の数字を増減させることで、数字を調整する。本実施形態において、妊婦の妊娠週数が妊娠１５週である場合には、週数選択部２１に『１５』の数字を表示させる。そして、妊婦が週数選択部２１の下側に設けられた週数選択決定部２２のアイコンをタップすると、週数受付処理部１１２は妊娠週数が１５週であることを受け付ける（Ｓ３：週数受付ステップ）。
【００４３】
続いて、受け付けた妊娠週数に基づいて、心音選択処理部１１５は、妊娠週数に対応する胎児の心音を心音ＤＢ１３１から選択する（Ｓ４１：心音選択ステップ）。心音ＤＢ１３１には、予め妊娠週数に対応した胎児の心音が格納されており、本実施形態においては妊娠６週目から４２週目までの１週毎の胎児の心音が格納されている。例えば、妊娠６週の胎児の心音として約９０ｂｐｍ（ｂｅａｔ  ｐｅｒ  ｍｉｎｕｔｅ）の心音、妊娠１０週の胎児の心音として約１６０ｂｐｍの心音、妊娠３８週の胎児の心音として約１２０ｂｐｍの心音が格納されている。この心音ＤＢ１３１は、必ずしも妊娠６週から４２週の胎児の心音に限られない。妊娠１０週から４０週や、妊娠５週から４４週であっても構わない。また、本実施形態においては、１週毎の心音を格納したが、２週毎や５週毎であってもよい。
【００４４】
次に、状態選択表示処理部１１３は、状態選択画面３０を画面１ａに表示させる（Ｓ４２１：状態選択画面表示ステップ）。図５は、状態選択画面３０を説明する図である。図５に示すように、状態選択画面３０には、状態選択部３１が示される。状態選択部３１は、画面１ａの中央部に設けられ、３つの円形のアイコンが示されている。アイコンには、妊婦の状態を表す『ルンルン』『ワクワク』『ドキドキ』の３つの選択肢が、それぞれ示されている。
【００４５】
この「妊婦の状態」とは、妊婦の気分状態や健康状態であり、本実施形態においては妊婦の気分状態を示している。なお、本実施形態においては、妊婦の気分状態を表す『ルンルン』『ワクワク』『ドキドキ』の３つの選択肢を表示したが、これに限られない。妊婦の健康状態のみを表す選択肢を表示してもよく、気分状態と健康状態の両方を表示してもよい。さらに、妊婦の状態を選ぶ選択肢は、３つに限らず、２以上の選択肢を適宜設けることが可能である。
【００４６】
また、本実施形態においては、『ルンルン』『ワクワク』『ドキドキ』を妊婦の状態として表示させることにしたが、週数受付ステップ（Ｓ３）で受け付けた妊娠週数１５週に対応して、表示させる妊婦の状態を変更させてもよい。例えば、妊娠１５週の場合には、『ルンルン』『ワクワク』『ドキドキ』、妊娠週数が２６週の場合には、『ワクワク』『ドキドキ』『イライラ』を表示させてもよい。これにより、妊婦の状態により近いと思われる状態を選択することで、妊婦の現状に適した情報や合成音楽を提供することができる。
【００４７】
妊婦が、この気分状態を示すアイコンの中から自身の状態（気分）を選択すると、状態受付処理部１１４は妊婦の状態を受け付ける（Ｓ４２２：状態受付ステップ）。具体的には、妊婦がドキドキの気分であるとき、『ドキドキ』のアイコンをタップすると、状態受付処理部１１４は妊婦の状態がドキドキであることを受け付ける。
【００４８】
そして、受け付けた妊婦の状態に対応して、音楽選択処理部１１６は、状態・音楽ＤＢ１３２の中から妊婦の状態に対応する音楽を選択する（Ｓ４２３：音楽選択ステップ）。具体的には、状態受付ステップ（Ｓ４２２）で受け付けた妊婦の気分が『ドキドキ』である場合には、音楽選択処理部１１６は、状態・音楽ＤＢ１３２の中から『ドキドキ』に対応する『音楽Ｃ』を選択する。このように、妊婦の状態に応じて音楽を選択することで、妊婦の状態に適した音楽を選択することができる。
【００４９】
続いて、合成音楽出力処理部１１７は、心音選択ステップ（Ｓ４１）で選択した妊娠１５週の胎児の心音と、音楽選択ステップ（Ｓ４２３）で選択した音楽Ｃとを合成した合成音楽を、スピーカー１７から出力させる。この出力された合成音楽は、妊婦のお腹の中の胎児と同じぐらいである妊娠１５週の胎児の心音と、妊婦の気分『ドキドキ』に適した音楽Ｃを合成音楽出力処理部１１７が合成して出力したものである。そのため、妊婦は、音楽Ｃを心地よく聴き入れながら胎児の心音を感じることができ、胎児の存在をより実感することができる。このとき、胎児の心音のみを聴いた場合は、妊婦は自分自身の心拍を聴いているのか胎児の心音を聴いているのか判断することができなくて、胎児の存在を実感できない場合があるが、妊娠週数に対応した胎児の心音と妊婦の気分状態に適した音楽とを合成した合成音楽を聴くことで、妊婦は胎児の存在を実感しやすくなる。
【００５０】
合成音楽を出力しているとき、画面１ａには、合成音楽出力画面４０が表示されている。図６は、合成音楽出力画面４０を説明する図である。図６に示すように、合成音楽出力画面４０は、画面１ａの上部に妊娠週数を示す週数表示部４１が示され、画面１ａの中央部に図柄４２が示され、画面１ａの下部にメッセージ表示画面５０のメッセージ（後述）の一部分を示すメッセージ部４３が示されている。
【００５１】
図柄表示処理部１２０は、図柄ＤＢ１３４に格納された図柄４２を画面１ａに表示させる（Ｓ５３：図柄表示ステップ）。図柄４２は、中央にハートマークが描かれた図柄であることが好ましい。そして、図柄４２は、そのハートマークの周りを光が照らしているようなマーク（図柄）である。なお、この図柄４２は、必ずしもハートマークを含むものでなくてもよく、丸型や星形等の種々の形状を含む図柄であってもよい。ただし、ハートマークを用いることで、心臓の動きであることを連想しやすいため、妊婦が胎児の心音であることを認識しやすくすることができる。
【００５２】
なお、妊娠週数に対応して図柄４２の大きさが異なっている。図８は、図柄４２の変化を説明する図である。図８に示すように、図柄表示処理部１２０は、妊娠１０週（１０ｗｅｅｋ）の場合には小さな図柄４２を表示させ、妊娠１５週（１５ｗｅｅｋ）、妊娠２６週（２６ｗｅｅｋ）と妊娠週数が進むにつれて、より大きな図柄４２を表示させる。これにより、妊婦に対して胎児の心臓が大きくなっていることを連想させることができ、視覚的に胎児の成長を実感させることができる。
【００５３】
また、図柄表示処理部１２０は、胎児の心音と連動して図柄４２の形状を変化させることが好ましい。例えば、心音（心拍）が脈打つと、図柄４２の大きさを一瞬大きくさせ、そしてすぐに元の大きさに戻す。このように、胎児の心音に応じて図柄の形状を変化させることで、妊婦は、胎児の心音を聴覚的だけでなく視覚的にも感じることができ、胎児の存在をより実感しやすくなる。なお、この図柄４２の形状変化は大きさを変化させることに限られない。図柄４２を回転させたり、移動させたりしてもよく、図柄４２を点滅させてもよい。
【００５４】
続いて妊娠週数に応じたメッセージを画面１ａに表示することが好ましい。妊婦が、メッセージ部４３で一部分が示されたメッセージの全文を見たい場合には、合成音楽出力画面４０の下部に設けられたメッセージ部４３のアイコンをタップすると、メッセージ表示画面５０が表示される。
【００５５】
図７は、メッセージ表示画面５０を説明する図である。図７に示すように、メッセージ表示画面５０は、画面１ａの上部に妊娠週数を示す週数表示部５１、画面１ａの中央部にメッセージ５２、画面１ａの下部に登録画面移動部５３が示されている。メッセージ表示画面５０の表示中は、合成音楽出力画面４０と同様にスピーカー１７から合成音楽が出力されている。
【００５６】
メッセージ５２は、胎児から妊婦に向けたメッセージであることが好ましい。メッセージ選択処理部１１８は、週数受付ステップ（Ｓ３）で受け付けた妊娠週数と状態受付ステップ（Ｓ４２２）で受け付けた妊婦の状態に対応したメッセージをメッセージＤＢ１３３（図２Ｂ）の中から選択する（Ｓ４４：メッセージ選択ステップ）。メッセージＤＢ１３３には、予め妊娠週数と妊婦の状態とを対応させたメッセージを格納されている。本実施形態においては、妊娠週数１５週で、妊婦の状態が『ドキドキ』である場合には、メッセージＤＢ１３３の中の『無理しちゃダメだよ。ママ、・・・いつも大好きだよ。』が選択される。
【００５７】
そして、メッセージ表示処理部１１９は、メッセージ選択ステップ（Ｓ４４）で選択したメッセージを画面１ａに表示する（Ｓ５４：メッセージ表示）。このとき、合成音楽出力処理部１１７は合成音楽出力画面４０と同様に、合成音楽がスピーカー１７から出力されているため、妊婦は、合成音楽を聴くことで胎児の存在を実感しながら、メッセージを読む。特に、妊婦は、胎児から妊婦に宛てたメッセージを読むことで、妊婦自身のお腹の中にいる胎児からのメッセージを受け取っているような感じを受けることができ、胎児の存在をより実感することができる。また、メッセージには、妊娠週数や妊婦の状態に対応したアドバイスや、妊婦を応援する言葉を表示することで、胎児が欲しているであろうことを妊婦に知らせたり、胎児が妊婦を励ましたりするような感覚を与えることができる。
【００５８】
そして、妊婦がさらに妊娠や出産に関する情報を得たい場合には、メッセージ表示画面５０の下部の登録画面移動部５３のアイコンをタップすると、メールアドレスを登録する画面が表示される（不図示）。妊婦が、メールアドレスを登録する画面で電子メールを受信するためのメールアドレス登録を行うことが好ましい。妊婦がメールアドレスを登録すると、更なる妊娠や出産に関する情報を電子メールで受信することができる。
【００５９】
＜電子メールによる情報の受信＞
端末１は、通信部１６を備え、インターネットのような無線広域ネットワーク（ＷＷＡＮ）を用いて、電子メールを受信することもできる。情報受信処理部１２１は、妊娠週数に応じた情報を含む電子メールを受信する。この妊娠週数に応じた情報とは、出産前に準備すべきことや体調管理方法などであり、妊娠期間における知識の提供を目的としている。
【００６０】
情報表示処理部１２２は、受信した電子メールを表示画面１５に表示する。これにより、妊婦は、妊娠週数に応じた情報を知ることができ、妊娠に対する不安を和らげることができる。
【００６１】
このとき、電子メールの発信者名の少なくとも一部に、出産後、乳幼児が使用する可能性のある吸収性物品に関連するブランド名を含めておくことが好ましい。例えば、乳幼児向けの使い捨ておむつのブランド『ｍｏｏｎｙ』（登録商標）を電子メールの発信者名の一部に含めて、画面１ａに表示する。これにより、妊婦がこの電子メールを見たときに、乳幼児用の使い捨ておむつ（吸収性物品）に関連するブランド名『ｍｏｏｎｙ』（登録商標）を認識することができるため、出産後にこの使い捨ておむつを使用してもらうきっかけにすることができる。なお、この吸収性物品に関連するブランドの表示は文字列に限られず、メール画面にキャラクターデザイン等を表示するものであってもよい。
【００６２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００６３】
上述の実施形態においては、記憶部１３に心音ＤＢ１３１と状態・音楽ＤＢ１３２を備え、合成音楽出力処理部１１７が出力時にそれぞれ選択された心音と音楽とを合成して出力することとしたが、これに限られない。予め心音と音楽とを合成して記憶部１３に格納しておいてもよい。図９は、その他の実施形態の端末１の機能上の構成を示すブロック図である。図９に示すように、記憶部１３には、合成音楽ＤＢ１３１を備え、合成音楽選択処理部１１５が受け付けた妊娠週数及び妊婦の状態に対応した合成音楽を選択し、合成音楽出力処理部１１７が出力するものとしてもよい。これにより、記憶部１３に格納する情報量が小さくなり、端末１での処理を素早く行うことができる。
【００６４】
なお、心音と合成する音楽は、複数の中から選択するのが好ましいが、これに限られない。妊婦が聴いて心地良いと感じられる１曲を心音と合成させるものであってもよい。
【００６５】
また、上述の実施形態においては、音楽を妊婦の状態に対応して選択することとしたが、この限りではない。音楽を妊娠週数にのみ対応するものとしてもよく、妊娠週数と妊婦の状態のいずれにも対応させてもよい。さらには、予め格納された複数曲の中から無作為に選択されたものとしてもよい。
【００６６】
上述の実施形態においては、予め心音ＤＢ１３１に格納された胎児の心音と音楽とを合成させたが、これに限られない。妊婦が検診等で聴いた自分自身の胎児の心音を録音し、自分自身の胎児の心音を心音ＤＢ１３１に格納して、音楽と合成させた合成音楽を出力してもよい。これにより、妊婦は自分のお腹の中にいる胎児の存在をより実感することができる。
【００６７】
上述の実施形態においては、妊婦自身が端末１を操作することとしたが、これに限られない。妊婦の不安を軽減させるために、妊婦の家族等の第三者が端末１を操作してもよい。
【００６８】
上述の実施形態においては、メッセージ選択ステップ（Ｓ４４）において、週数受付ステップ（Ｓ３）で受け付けた妊娠週数と状態受付ステップ（Ｓ４２２）で受け付けた妊婦の状態に対応したメッセージを予めメッセージＤＢ１３３に格納し、その中からメッセージを選択して表示させたが、これに限られない。メッセージ選択処理部１１８は、メッセージ選択ステップ（Ｓ４４）において、週数受付ステップ（Ｓ３）で受け付けた妊娠週数にのみ対応させたメッセージを表示させてもよい。
【００６９】
また、上述の実施形態においては、端末１の記憶部１３に心音ＤＢ１３１や状態・音楽ＤＢ１３２、メッセージＤＢ１３３を備えることとしたが、これに限られない。端末１をインターネットのような無線広域ネットワーク（ＷＷＡＮ）を用いて通信することにして、サーバー内に心音ＤＢ１３１や状態・音楽ＤＢ１３２、メッセージＤＢ１３３を備えてもよい。このようにすることで、大量の音楽やメッセージの中から妊婦の状態に最も適した音楽やメッセージを選択することができる。
【００７０】
さらに、上記の実施形態は、プログラムが前述した各種の処理をコンピューター又はマイクロプロセッサに実行させることにより実現可能である。この場合、全ての処理をプログラムとして準備していてもよいし、一部の処理をハードウェアに処理させ残りの処理をプログラムとして準備していてもよい。
【００７１】
また、実行可能なプログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【符号の説明】
【００７２】
１  端末（コンピューター）
１ａ  画面
１１  制御部、
１１１  週数入力表示処理部、１１２  週数受付処理部、
１１３  状態選択表示処理部、１１４  状態受付処理部、
１１５  心音選択処理部、１１６  音楽選択処理部、
１１７  合成音楽出力処理部、１１８  メッセージ選択処理部、
１１９  メッセージ表示処理部、１２０  図柄表示処理部、
１２１  情報受信処理部、１２２  情報表示処理部、
１３  記憶部、
１３１  心音ＤＢ、１３２  状態・音楽ＤＢ、
１３３、  メッセージＤＢ、１３４  図柄ＤＢ、
１４  入力部、１５  表示画面、
１６  通信部、１７  スピーカー
２０  週数選択画面、
２１  週数選択部、２２  週数選択決定部、
３０  状態選択画面、
３１  状態選択部、
４０  合成音楽出力画面、
４１  週数表示部、４２  図柄、４３  メッセージ部、
５０  メッセージ画面、
５１  週数表示部、５２  メッセージ、５３  登録画面移動部
【図１】
0006389807.tif 000002
【図２】
0006389807.tif 000003
【図３】
0006389807.tif 000004
【図４】
0006389807.tif 000005
【図５】
0006389807.tif 000006
【図６】
0006389807.tif 000007
【図７】
0006389807.tif 000008
【図８】
0006389807.tif 000009
【図９】
0006389807.tif 000010